(57)【要約】      （修正有）【課題】ボールペンくらいの長さでポケットに入れて、持ち運びが出来るチューブ入り歯磨き剤を収納した携帯歯ブラシを提供する。【解決手段】歯ブラシの先端部分（長さ７ｃｍくらい）と３０ｇくらいのチューブ入りは磨き剤が収納できる中空構造をもつグリップ（直径２ｃｍくらい長さ１０ｃｍくらい）が一体化して成形された歯ブラシの歯ブラシ部分に透明な円筒形のキャップをかぶせて全長１８ｃｍくらいの丸みを帯びた棒状の形態とする。使用する時はキャップをはずし、グリップの底の部分をまわすかあるいは少し引っ張ってチューブ入り歯磨き剤を取り出し、ブラシに適当に歯磨き剤をつけそのまま底から入れ込んでまわすと元の状態にもどり、歯磨きをして終われば、本体を水洗いして、水をきりキャップをかぶせてポケットに入れて持ち運ぶことも出来る。【選択図】図１
0003180545.tif 000002
【実用新案登録請求の範囲】
【請求項１】
チューブ入り歯磨き剤を収納できる中空構造をもつグリップ（柄の部分）と歯ブラシ部分が一体化して成型されたチューブ入り歯磨き剤内蔵型携帯歯ブラシセットで
形態は円柱型あるいは断面が楕円形をした刀型となる。グリップの形状にはこだわらなくてよい。子供用としてキャラクターの型にしてもよい。底の部分を回すか（ねじ方式）、軽く引っ張るとふたのないチュウブ入りの歯磨き剤が出てきて（ストッパー方式）、そのままブラシに適量押し出し、そのまま収納できる。
【請求項２】
歯ブラシの部分を保護するため、キャップ（透明色つきあり）をつける。そのキャップには歯ブラシ部分に湿気がこもらないように空気穴をあける。
携帯コップが付けれるようにストラップ穴もあける。
【考案の詳細な説明】
【技術分野】
【０００１】
本発明はチューブ入り歯磨き剤を収納できる歯ブラシに関するものである。          
【背景技術】
【０００２】
一般家庭では食べたら磨くという歯磨き習慣が浸透しており、練り歯磨きと歯ブラシをそれぞれ購入して練り歯磨きは共同で使って、歯ブラシはマイ歯ブラシとして
使用している。そして家庭以外の場所で使う場合、たとえば学校（給食後）、職場（昼食後）あるいは旅行用としてはトラベルセットが市販されている。
しかし、市販されている携帯歯ブラシは便利なように見えて、服のポケットに入れて歩くにはかさばってなんとなく持ち運びにくい。しかも、歯ブラシとチューブ入り歯磨き剤が別々にナイロンケース等に入っているので、出し入れするときに忘れやすく無くしやすい。また、次に使うときはナイロンケースの中が妙に濡れている事がある。また、放っておくとカビが生えてくることがある。
【先行技術文献】
【特許文献】
【０００３】
【特許文献１】特開２００４‐０９７４８５号公報
【特許文献２】特開２００３‐５０００９２号公報  従来、持ち運びの便宜を考慮した携帯歯ブラシが考案されている。歯ブラシを二つ折りにして万年筆型にしたり、歯ブラシの胴の部分から細い穴をあけて胴体部分に歯                                                磨き粉を入れておき、指などによって歯ブラシに注入できるような複雑な構造を持つ携帯用の歯ブラシも多数考えられている。しかし、製造コストが掛かり部品もたくさん必要になり、ずいぶん高価な歯ブラシになって、実現するにはかなり難しい。また、簡単に歯ブラシの胴体をケースにしてそこにチュウブ入り歯磨き粉を入れただけの万年筆型携帯歯ブラシ（特許文献１）もある。歯ブラシの下の部分を切り取り、そこにチューブ型の歯磨き粉を取り付け、歯ブラシの上の部分は万年筆のようなキャップが付いており、歯を磨く時はそれをはずしてチューブ型の容器を覆うように差し込んで使う携帯歯磨き（特許文献２）も考案されている。
【考案の概要】
【考案が解決しようとする課題】
【０００４】
しかし、特許文献１は製造コストは余りかからないかもしれないが、使用するときの手間は市販されているトラベルセットとあまり変わらない。特許文献２はそういう意味では若干使い勝手はいいかもしれないが、使用していないとき、歯磨き粉チューブが裸になっており旅行かばん等に入れて持ち歩くにはつぶれそうで少し不安になる。なにより最大の欠点は格好が悪く、歯磨き粉が丸見えなので、持ち歩くには何かが物足りない感じがしてはずかしくなる。
【課題を解決するための手段】
【０００５】
そこで携帯に便利なように、かさばらず、スマートで衛生的で使いやすくするために、グリップ（柄）の部分に２０〜３０ｇ位のチュウブ入り歯磨き剤を収納できる空間を備えた直径２cmくらいの一体型の歯ブラシを成型し、そこにチュウブ入り歯磨き剤を収納し、歯ブラシ部分を保護し、ブラシ内の湿気を取るための空気穴つきキャップ携帯歯ブラシを提案する。
【考案の効果】
【０００６】
常時ポケットに入れて持ち歩くことができ、旅行かばんに入れてもつぶれることもなく、スマートで見栄えが良く、家族内でも、単身生活でも自分専用のマイ歯磨き、マイ歯ブラシとして手軽に使用できるようになる。また、製造コストも安価で、リーズナブルな商品として販売できる。
【図面の簡単な説明】
【０００７】
【図１】携帯歯ブラシの全体としての斜視図
【図２】携帯歯ブラシを３つに分解したときの斜視図
【図３】携帯歯ブラシのグリップの部分を楕円形にしたときの斜視図
【考案を実施するための形態】
【０００８】
図１が携帯歯ブラシの本体でグリップ（柄の部分）内にチュウブ入り歯磨き剤が収納されており、大きさは市販されているボールペンくらいの長さで直径が２〜
３cmくらいの形態で、使用するときは図２のようにキャップをはずす。
【実施例】
【０００９】
図２の携帯歯ブラシ本体の下１０cmくらいの部分がグリップ（柄の部分）でその中に円筒形のチュウブ入り歯磨き剤を収納する。収納するチュウブ入り歯磨き剤を        円筒形ではなく、従来の市販されているものを使う場合は図３のグリップの断面が楕円形の携帯歯ブラシにしてもよい。あるいは子供用の携帯歯ブラシとして動物の形とかドラえもんのようなキャラクターの形をグリップの型にしてもよい。歯ブラシの部分も形状にはこだわらなくてよい。チューブ入り歯磨き剤を取り出すには、本体の底の部分をまわすか少し引っ張るとふたが付いていない状態で歯磨き剤が出てくる。そのまま、ブラシの部分にチューブを手で押して歯磨き剤をつけ、終わればそのまま底から挿入して、まわせば元の状態にもどる。
【符号の説明】
【００１０】
１  携帯歯ブラシ本体  ２  キャップ  ３  練り歯磨き剤入りチューブ
【図１】
0003180545.tif 000003
【図２】
0003180545.tif 000004
【図３】
0003180545.tif 000005
【手続補正書】
【提出日】平成24年10月31日(2012.10.31)
【手続補正２】
【補正対象書類名】実用新案登録請求の範囲
【補正対象項目名】全文
【補正方法】変更
【補正の内容】
【実用新案登録請求の範囲】
【請求項１】
断面形状が円形又は楕円形であり、歯磨き剤入りチューブを収納可能な中空構造を有したグリップに、歯ブラシ部分が一体化された携帯歯ブラシ本体と、前記グリップに収納可能な歯磨き剤入りチューブとを備えたことを特徴とするチューブ入り歯磨き剤収納型携帯歯ブラシセット。
【請求項２】
歯ブラシ部分に、空気穴を備えたキャップを装着可能にしたことを特徴とする請求項１記載のチューブ入り歯磨き剤収納型携帯歯ブラシセット。